(57)【特許請求の範囲】
【請求項１】
貯蔵庫本体の上面には内部を機械室とするキャビネットが設けられ、このキャビネットは、前記貯蔵庫本体の上面の四隅に支柱を立設し、背面側の二本の支柱の内面に補強材をわたして締結具により締結するとともに、前後の支柱の上端の間に取付部材をわたした上で、前面と側面において各支柱の間にパネルを張ることにより形成された貯蔵庫であって、
前記背面側の支柱の締結部分における背面には、前記締結具の背面側への突出部分が収められる凹部が形成され、前記貯蔵庫本体から前記キャビネットにわたる背面が壁面に密着して設置可能であることを特徴とする貯蔵庫。
【請求項２】
貯蔵庫本体の上面には内部を機械室とするキャビネットが設けられ、このキャビネットは、前記貯蔵庫本体の上面の四隅に支柱を立設し、背面側の二本の支柱の内面に補強材をわたして締結具により締結するとともに、前後の支柱の上端の間に取付部材をわたした上で、前面と側面において各支柱の間にパネルを張ることにより形成された貯蔵庫であって、
前記背面側の支柱は、そこに締結された締結具の背面側への突出部分が前記貯蔵庫本体の背面よりも前方に引っ込むように、前方に移動した位置に立設され、前記貯蔵庫本体から前記キャビネットにわたる背面が壁面に密着して設置可能であることを特徴とする貯蔵庫。
【発明の詳細な説明】
【０００１】
【発明の属する技術分野】
本発明は、貯蔵庫本体の上面に内部を機械室とすべくキャビネットを形成する部分の構造に関する。
【０００２】
【従来の技術】
従来、冷蔵庫本体の上面に冷凍装置を収納する機械室を配した大型の冷蔵庫では、運搬の際の便宜を考慮して、冷蔵庫本体と、機械室を構成するキャビネットとを分離可能とし、別々に運搬して設置現場において組み付けるようにしたものが知られている。
ここで、冷蔵庫本体は単体で運搬できるといえども未だ大きいものであり、しかも箱形で持ち難い形状であるため、運搬用に把手を設けることが望ましい。そこで本願出願人は、冷蔵庫本体の運搬に便利となる把手を設けた上で、構造も簡単に留められるようにしたものを、実公昭６４−５７４６号公報において提案した。具体的には、図９に記載されているように、パネルａを張るための支柱ｂに手等を入れることのできる透孔ｃを設けて、この支柱ｂのみを予め冷蔵庫本体ｄの上面の四隅に固定しておき、冷蔵庫本体ｄを運搬する際には支柱ｂを把手として利用し、設置現場ではその支柱ｂにパネルａを張ってキャビネットを形成するのである。これにより、上記のように冷蔵庫本体ｄの運搬に便利で、なおかつ構造も簡単に留められたものが実現でき、長く実用に供されている。
【０００３】
【発明が解決しようとする課題】
一方この間には適宜に改良が加えられており、その一つとして、図１０に示すように、背面側の二本の支柱ｂの内面に補強材ｅをわたして固定し、支柱ｂの取付強度を増すことが行われている。
この部分におけるこれまでの取付構造は、同図に示すように、支柱ｂの内面に補強材ｅが当てられるとともに、支柱ｂの背面側からボルトｆが通されて補強材ｅに形成されたねじ孔ｇにねじ込まれることで固定されるようになっていた。
【０００４】
上記のような取付構造であると、支柱ｂ自体は、冷蔵庫本体ｄの背面と面一に設けられているため、ボルトｆの頭部が冷蔵庫本体ｄの背面から飛び出すことになる。そうすると冷蔵庫を設置した場合に、同図に示すように、冷蔵庫の背面と壁面ｈとの間に隙間ｓができ、隙間ｓに塵やほこりが溜まりやすくなったり、冷蔵庫の前面側のスペースが狭くなる。また図１１に示すように、発泡スチロールｉを介して梱包した場合に、ボルトｆの頭部が食い込んで発泡スチロールｉを変形させて破損させ、梱包された冷蔵庫本体ｄを傷付けるおそれがあるという問題があり、さらなる改良が切望されていた。
本発明は上記のような事情に基づいて完成されたものであって、その目的は、貯蔵庫本体からキャビネットにわたる背面をフラットに保つところにある。
【０００５】
【課題を解決するための手段】
請求項１の発明は、貯蔵庫本体の上面には内部を機械室とするキャビネットが設けられ、このキャビネットは、前記貯蔵庫本体の上面の四隅に支柱を立設し、背面側の二本の支柱の内面に補強材をわたして締結具により締結するとともに、前後の支柱の上端の間に取付部材をわたした上で、前面と側面において各支柱の間にパネルを張ることにより形成された貯蔵庫であって、前記背面側の支柱の締結部分における背面には、前記締結具の背面側への突出部分が収められる凹部が形成され、前記貯蔵庫本体から前記キャビネットにわたる背面が壁面に密着して設置可能である構成としたところに特徴を有する。
【０００６】
また請求項２の発明は、貯蔵庫本体の上面には内部を機械室とするキャビネットが設けられ、このキャビネットは、前記貯蔵庫本体の上面の四隅に支柱を立設し、背面側の二本の支柱の内面に補強材をわたして締結具により締結するとともに、前後の支柱の上端の間に取付部材をわたした上で、前面と側面において各支柱の間にパネルを張ることにより形成された貯蔵庫であって、前記背面側の支柱は、そこに締結された締結具の背面側への突出部分が前記貯蔵庫本体の背面よりも前方に引っ込むように、前方に移動した位置に立設され、前記貯蔵庫本体から前記キャビネットにわたる背面が壁面に密着して設置可能である構成としたところに特徴を有する。
【０００７】
【発明の作用及び効果】
＜請求項１の発明＞
背面の支柱に締結された締結具の背面側に突出した部分が凹部内に収まって、貯蔵庫本体の背面から突出しないから、貯蔵庫の背面を壁面にぴったりと合わせて設置することができる。また、貯蔵庫本体を保護材を介して梱包した場合に、保護材に締結具が食い込むことを防止できる。
【０００８】
＜請求項２の発明＞
支柱自体が前方に取り付けられることで、締結具が貯蔵庫本体の背面から突出することが回避され、同様に貯蔵庫の背面を壁面にぴったりと合わせて設置することができ、また貯蔵庫本体の梱包時に保護材に締結具が食い込むことが防止できる。
【０００９】
【発明の実施の形態】
以下、本発明の実施形態を添付図面に基づいて説明する。
＜第１実施形態＞
本発明の第１実施形態を図１ないし図７によって説明する。図１及び図２において、符号１は、内部に貯蔵室を構成する断熱箱体からなる冷蔵庫本体であって、底面に設けられた４本の脚２で支持されるようになっているとともに、前面に計４個の出入り口が開口されてそれぞれに開閉扉３が装着されている。また冷蔵庫本体１の上面には、機械室を構成すべくキャビネット５が形成されるようになっている。
このキャビネット５は、詳しくは後記するが、冷蔵庫本体１の四隅に支柱６が立てられ、前面に吸入口９を形成したフロントパネル８が、両側面にサイドパネル１０が張られ、最後に上面パネル１１が張られることで形成される。キャビネット５内には冷凍ユニット１３が設置される。冷凍ユニット１３は、冷蔵庫本体１の上面に形成された開口１５を覆う取付台１６が設けられ、その上に、圧縮機１７、凝縮器１８、凝縮器ファン１９及び蒸発器を収納した蒸発器ボックス２０が載置された構造となっている。
【００１０】
そして、冷凍ユニット１３と図示しない庫内ファンが駆動されると、庫内空気が蒸発器ボックス２０内に吸入されて蒸発器の部分を通過することで冷気が生成され、その冷気が庫内に吐出されて循環流通することで、庫内が所定の冷却温度に冷却されるようになっている。また凝縮器ファン１９の駆動により、図３，４に示すように、外気がフロントパネル８の吸入口９から吸入されて凝縮器１８を通過することでそれを冷却し、熱交換された暖気は、上面パネル１１の前面に形成された排出口１２から外部に排出されるようになっている。
【００１１】
キャビネット５の部分の構造をさらに詳細に説明する。上記した４本の支柱６は、Ｌ字形をなす第１壁部２１とこれと直交する第２壁部２２とを有し、底面に取付板２３を形成した構造となっている。各支柱６の第１壁部２１の底部側には、人手が入る程度の透孔２４が横向きに形成され、上縁が内方に折り返されている。これらの支柱６は、図２に示すように、第１壁部２１を左方または右方、第２壁部２２を前方または後方に向けた姿勢で冷蔵庫本体１の四隅に載置されて、取付板２３をねじ止めすることによって固定される。また、背面側の２本の支柱６Ａの内面側には、チャンネル材からなる補強材２６がわたされて固定されている。
なお背面側の支柱のみを示す場合には、上記のように符号６Ａで示し、４本の支柱を包括的に示す場合は、背面側の支柱を含めて符号６で示すこととする。
【００１２】
上記したキャビネット５は冷蔵庫本体１とは別に梱包されて搬入され、設置現場において、後から組み付けられるようになっている。そのうち、４本の支柱６と補強材２６だけは冷蔵庫本体１に予め取り付けられた状態で搬入される。
背面側の２本の支柱６Ａに補強材２６を取り付ける部分の構造は以下のようである。支柱６Ａの第２壁部２２における上端側の背面には、図５に示すように、プレス成型により前方に凹んだ凹部３０が形成されている。この凹部３０の凹み寸法は、図６に詳細に示すように、ボルト３１の頭部３２とワッシャ３４の両者を合わせた厚みよりも少し大きく設定されている。凹部３０の底面には、ボルト３１の軸部３３を挿通する上下２個の挿通孔３６が形成されている。
一方、補強材２６の両端部には、バーリング加工等により上記の挿通孔３６と同じ間隔を開けて２個ずつの筒部３７が内方に突出して形成され、それぞれの内周に雌ねじが切られてねじ孔３８とされている。
【００１３】
続いて本実施形態の作用を説明する。まず、冷蔵庫本体１の上面には、その四隅において支柱６が所定の姿勢においてねじ止めして固定される。次に、背面側の２本の支柱６Ａの凹部３０の内面側に補強材２６が当てられる。そして、図６に示すように、ワッシャ３４の通されたボルト３１の軸部３３が挿通孔３６に通され、補強材２６のねじ孔３８に螺合されて締め付けられることで、支柱６Ａに対して補強材２６が固定される。ここで、補強材２６を固定することに用いたボルト３１の頭部３２は、支柱６Ａの背面の凹部３０内に収まって、支柱６Ａ並びに冷蔵庫本体１の背面から突出しない状態となる。
【００１４】
冷蔵庫本体１は、上記のように４本の支柱６並びに補強材２６を固定した状態で梱包され、その後設置場所に搬入される。冷蔵庫本体１を梱包等のために移動、運搬する場合は、上部側については支柱６に設けられた透孔２４に手を入れて持ち上げ、また下部側については、脚２を持ったり、あるいは脚２にロープを掛けてそれを作業者の首や肩に掛けて持ち上げることで、冷蔵庫本体１は比較的簡単に移動、運搬が行える。
冷蔵庫本体１を梱包する際には、図７に示すように、その上部及び下部の角部に発砲スチロール等からなる保護材４０を当てるが、背面側の２本の支柱６Ａの部分に保護材４０を当てる場合に、上記のようにボルト３１の頭部３２が凹部３０内に収まっているので、保護材４０が押し込まれて変形したり破損することが避けられる。このため、梱包した冷蔵庫本体１に傷が付くようなことが未然に防止される。
【００１５】
設置現場に搬入されて開梱されると、冷蔵庫本体１の上面に、別途搬入された冷凍ユニット１３、キャビネット５が組み付けられる。簡単に繰り返すと、冷凍ユニット１３が冷蔵庫本体１の上面に取り付けられ、また、エアガイド４１，４２とともにフロントパネル８、サイドパネル１０が支柱６の間に張られ、前後の支柱６の上端の間に取付部材４３がわたされたのち、上面パネル１１が張られてキャビネット５が完成する。
そして、冷蔵庫を例えば壁面４５に当てて設置しようとした場合、上記のように、ボルト３１の頭部３２が背面の支柱６Ａの凹部３０内に収められていて、冷蔵庫本体１の背面と支柱６Ａの背面にわたってフラットな面を構成しているので、冷蔵庫は、その背面を壁面４５にぴったりと合わせて設置することができる。これにより、冷蔵庫の背面に隙間ができてそこに塵やほこりが溜まることが防止され、また冷蔵庫の前面側に広いスペースを確保することができる。
【００１６】
＜第２実施形態＞
図８は本発明の第２実施形態を示す。この第２実施形態では、背面側に配される２本の支柱６Ｂの第２壁部２２Ｂが、フラットに形成されている。その代わりに、背面側の２本の支柱６Ｂは、ボルト３１の頭部３２とワッシャ３４の両者の厚みを合わせたよりも少し大きい寸法だけ前方に移動した位置において、冷蔵庫本体１の上面に固定されている。これにより、背面側の支柱６Ｂの第２壁部２２Ｂの内面の間に補強材２６をわたしてボルト３１より固定した場合に、ボルト３１の頭部３２が、冷蔵庫本体１の背面と面一か少し前方に引っ込んだ状態となる。
その他の構造は前記第１実施形態と同様であって、同一機能を有する部位については同一符号を付すことで重複した説明は省略する。
【００１７】
この第２実施形態によれば、補強材２６を取り付けることに用いたボルト３１の頭部３２が冷蔵庫本体１の背面と面一か少し前方に引っ込んで位置しているので、支柱６，６Ｂ並びに補強材２６を予め取り付けた冷蔵庫本体１を梱包するに際して保護材４０を当てた場合に、保護材４０が押し込まれて変形するようなことがない。また、キャビネット５を組み付けた後設置する場合に、冷蔵庫本体１の背面を壁面４５にぴったりと合わせて設置することができる。
【００１８】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、補強材を支柱に固定するに当たってボルトを外側から締め付ける場合を例示したが、ボルトを内側から通して外面側でナットに螺合して締め付けることで固定するような場合にも、同様に適用することができる。また、リベット等の他の締結具で固定する場合にも同様に適用できる。
（２）また本発明は、温蔵庫等の貯蔵庫本体の上面に内部に機械室を構成すべくキャビネットを形成した貯蔵庫全般に広く適用することができる。
【図面の簡単な説明】
【図１】  本発明の第１実施形態に係る冷蔵庫の一部切欠側面図
【図２】  キャビネットの分解斜視図
【図３】  キャビネット内を示す平面図
【図４】  同側面図
【図５】  冷蔵庫を設置した状態の部分側面図
【図６】  補強材の取付部分を示す一部切欠側面図
【図７】  梱包状態を示す部分平面図
【図８】  第２実施形態に係る設置状態の一部切欠部分側面図
【図９】  従来例のキャビネットの分解斜視図
【図１０】  設置状態の部分側面図
【図１１】  梱包状態の部分平面図
【符号の説明】
１…冷蔵庫本体  ５…キャビネット  ６…支柱  ６Ａ…（背面の）支柱  ８…フロントパネル  １０…サイドパネル  ２１…第１壁部  ２２…第２壁部  ２４…透孔  ２６…補強材  ３０…凹部  ３１…ボルト  ３２…頭部  ３８…ねじ孔
４５…壁面  ６Ｂ…（背面の）支柱  ２２Ｂ…第２壁部
【図１】
0003699253.tif 000002
【図２】
0003699253.tif 000003
【図３】
0003699253.tif 000004
【図４】
0003699253.tif 000005
【図５】
0003699253.tif 000006
【図６】
0003699253.tif 000007
【図７】
0003699253.tif 000008
【図８】
0003699253.tif 000009
【図９】
0003699253.tif 000010
【図１０】
0003699253.tif 000011
【図１１】
0003699253.tif 000012